(57)【要約】【課題】  対衝撃性に優れた携帯用の防犯ブザーを提供する。【解決手段】  ケース部材と、上記ケース部材に収納された電気構成部品とからなる携帯用防犯ブザーであって、上記ケース内において、上記電気構成部品とケース内側面部との間の空隙には合成樹脂材が充填されていることを特徴とする。【選択図】図１
0003154565.tif 000002
【実用新案登録請求の範囲】
【請求項１】
ケース部材と、上記ケース部材に収納された電気構成部品とからなる携帯用防犯ブザーであって、上記電気構成部品は、ケース内側面部の空隙に形成された合成樹脂層内に配置されていることを特徴とする携帯用防犯ブザー。
【請求項２】
上記電気構成部品は、電池と、コンデンサと、コンデンサから電気が供給されて作動するスピーカと、上記電池、コンデンサ、スピーカとの間に配設された配線と、上記電源コードに接続されて電気回路の開閉を行うスイッチであることを特徴とする請求項１記載の携帯用防犯ブザー。
【請求項３】
上記合成樹脂層はエポキシ樹脂により形成されていることを特徴とする請求項１記載の携帯用防犯ブザー。
【考案の詳細な説明】
【技術分野】
【０００１】
本考案は携帯用防犯ブザーの改良に係り、特に、耐衝撃性に良好な携帯用防犯ブザーに関する。
【背景技術】
【０００２】
従来より、携帯用防犯ブザーが広く使用されている。このような携帯用防犯ブザーは、一般に、防犯ブザー本体と、防犯ブザー本体に接続されたストラップとからなる。
【０００３】
このような防犯ブザー本体は、電池と、コンデンサと、電気が供給されて作動するスピーカと、上記電池、コンデンサ及びスピーカとの間に配設された配線と、上記配線に接続されて電気回路の開閉を行うスイッチとを有している。
【０００４】
このような携帯用防犯ブザーは、使用者が携帯して使用することから、使用状態によっては、大きな衝撃が防犯ブザー本体に作用することもある。このように大きな衝撃が作用した際には、上記配線と各機器との接続が切断してしまい作動しなくなる場合もあり、従来より対衝撃性に優れた防犯ブザーが要請されていた。  
【考案の開示】
【考案が解決しようとする課題】
【０００５】
本考案の課題は、対衝撃性に優れた携帯用の防犯ブザーを提供することにある。
【課題を解決するための手段】
【０００６】
上記課題を解決するために、請求項１の考案にあっては、ケース部材と、上記ケース部材に収納された電気構成部品とからなる携帯用防犯ブザーであって、上記電気構成部品は、ケース内側面部の空隙に形成された合成樹脂層内に配置されていることを特徴とする。
【０００７】
従って、請求項１記載の考案にあっては、電気構成部品は合成樹脂材により形成された層の中に埋没した形でケース部材内に配設されている。
請求項２記載の考案にあっては、上記電気構成部品は、電池と、コンデンサと、コンデンサから電気が供給されて作動するスピーカと、上記電池、コンデンサ、スピーカとの間に配設された配線と、上記電源コードに接続されて電気回路の開閉を行うスイッチであることを特徴とする。
【０００８】
請求項３記載の考案にあっては、上記合成樹脂層はエポキシ樹脂により形成されていることを特徴とする。
【考案の効果】
【０００９】
請求項１〜３記載の考案にあっては、ケース部材内には合成樹脂材が充填され、電気構成部品は合成樹脂材の中に埋没した形でケース部材内に配設されていることから、使用中に大きな衝撃がケース部材に作用した場合であっても、各電気構成部品が断線することはない。また、衝撃が上記合成樹脂材の層により緩和されることから、各電気構成部品への衝撃を緩和することができる。
【図面の簡単な説明】
【００１０】
【図１】本考案に係る携帯用防犯ブザーの一実施の形態を示す図である。
【図２】本考案に係る携帯用防犯ブザーの一実施の形態を示し、ケース内に充填され形成された合成樹脂層内部に各電機構成部品が配置されている状態を示す図である。
【図３】本考案の一実施の形態に係る携帯用防犯ブザーの作成手順を示す分解斜視図である。
【考案を実施するための最良の形態】
【００１１】
以下、添付図面に示す実施の形態に基づき、本考案を詳細に説明する。
図１（ａ）及び図１（ｂ）に示すように、本実施の形態に係る携帯用防犯ブザー１０は、ケース部材１１と、上記ケース部材１１に収納された電気構成部品１２とからなり、上記ケース部材１１内において、上記電気構成部品１２とケース内側面部１３との間の空隙には合成樹脂材１４が充填されている。
【００１２】
上記ケース部材１１は、ケース本体１１ａ及びカバー１１ｂからなり、内部には各電気構成部品１２が固定されている。
上記電気構成部品１２は、電池１２ａと、コンデンサ１２ｂと、コンデンサ１２ｂから電気が供給されて作動するスピーカ１２ｃと、上記電池１２ａ、コンデンサ１２ｂ、スピーカ１２ｃとの間に配設された配線１２ｄと、上記配線１２ｄに接続されて電気回路の開閉を行うスイッチ１２ｅと、基板１５とにより構成され、上記スイッチ１２ｅには、ケース部材１１の長さ方向外方に配設されたスイッチストラップ１２ｆが接続されており、上記スイッチストラップ１２ｆの長さ方向の反対側には、携帯用のストラップ１８が固定されている。
【００１３】
実際の使用時には、ケース部材１１の外方に配設されたスイッチストラップ１２ｆを引き抜くことによりスイッチ１２ｅを作動させて電気回路を閉成して通電させてブザーを作動させるものである。
【００１４】
本実施の形態にあっては、上記ケース部材１１の内側面部１３の間には、全てエポキシ樹脂材１４が充填され、各電気構成部品１２の間もエポキシ樹脂材１４により充填されている。その結果、図２（ａ）及び（ｂ）に示すように、ケース部材１１のケース内側面部１３の空隙内において直方体状の合成樹脂層１７が形成されており、上記電気構成部品１２は、形成された合成樹脂層１７内に配置されて固定されている。
【００１５】
本実施の形態に係る携帯用防犯ブザー１０を作成する場合には、図３（ａ）に示すように、先ず、上記スピーカ１２Ｃを基板１５に組み付け、コンデンサ１２ｂ及び各配線１２ｄと共に、ケース本体１１ａ内に固定する。次に、図３（ｂ）に示すように、各電器構成部品１２が組み付けられたケース本体１１ａ内にエポキシ樹脂材１４を適宜の手段を利用して、ケース本体１１ａ内の空隙を充填するように注入する。
なお、図３（Ｃ）に示すように、本実施の形態にあっては、ボタン電池１２ａ４個をケース本体１１ａの裏面側から電池収納部２０内に収納し、カバー部材２１により被覆して固定する。
【００１６】
その後、カバー１１ｂを上記ケース本体１１ａに被せて固定し、さらに、ラバーケース１９に上記ケース部材１１を収納させることにより完成する。
本実施の形態にあっては、図２（ａ）、（ｂ）及び図３に示すように、このようにエポキシ樹脂材１４が注入された場合には、ケース本体１１ａ内には充填されたエポキシ樹脂材１４により層１７が形成され、この層１７の内部に上記各電気構成部品１２が配設されることなる。
従って、本実施の形態に係る携帯用防犯ブザー１０にあっては、ケース部材１１内のエポキシ樹脂の層１７内に配線１２ｄを含め各電気構成部品１２が完全に埋没した形でケース部材１１内に配設されていることから、使用中に大きな衝撃がケース部材１１に作用した場合であっても、上記配線１２ｄと各電器構成部品１２との接続が外れてしまうことはない。
【００１７】
また、衝撃が上記エポキシ樹脂の層１７により緩和されることから、各電気構成部品１２への衝撃を緩和することができ、作動不良を有効に回避することができる。
【産業上の利用可能性】
【００１８】
本考案は、広く、携帯用電気機器に適用することができる。
【符号の説明】
【００１９】
１０  携帯用防犯ブザー
１１  ケース部材
１１ａ  ケース部材本体
１１ｂ  カバー部材
１２  電気構成部品
１２ａ  電池    
１２ｂ  コンデンサ  
１２ｃ  スピーカ
１２ｄ  配線
１２ｅ  スイッチ
１２ｆ  スイッチストラップ
１３  内側面部
１４  エポキシ樹脂材
１５  基板
１７  エポキシ樹脂の層
１８  ストラップ
１９  ラバーケース
２０  電池収納部
２１  カバー部材
【図１】
0003154565.tif 000003
【図２】
0003154565.tif 000004
【図３】
0003154565.tif 000005